(57)【特許請求の範囲】
【請求項１】
ドア枠上面に取付けられる本体取付基部と、該本体取付基部のドア側に形成された水平に延びる溝に嵌め込まれ、ドア閉時にそのドアに弾接してドア枠とドアとの隙間を隠すパッキンと、を有する戸当りであって、
前記本体取付基部に形成された溝は、本体取付基部の上部からドア側に突出した上片と、同じく本体取付基部の下部からドア側に上片よりも大きく突出し、かつドア枠上面に沿って接する下片との間に形成され、
前記本体取付基部は、前記下片を貫通しドア枠に向かってネジがねじ込まれることによってドア枠に固定されるとともに、前記パッキンは、前記ネジの頭を隠蔽するように、前記溝に嵌め込まれてなることを特徴とする戸当り。
【請求項２】
前記パッキンのドア側は、前記下片の先端を覆うように、ドアに向かって延びていることを特徴とする請求項１に記載の戸当り。
【発明の詳細な説明】
【０００１】
【発明の属する技術分野】
本発明は、ドア枠に取付けられた戸当りに関するものである。
【０００２】
【従来の技術】
ドア枠と閉じられたドアとの隙間を隠すと共に、隙間風や光の漏洩を防止するための戸当りは、ドア枠の内面に、釘・木ネジ・接着剤・嵌合等によって固定されている。しかしながら、この戸当たりは次の理由から着脱可能に構成される必要がある。すなわち、
【０００３】
ドア枠は、歪み・姿勢等の調整又は／及び一時的な取外しが可能に調整機構が組み込まれる場合もある（例えば、比較的大きい径、例えば径１０ｍｍ度のネジが１ｍ間隔に、ドア１セット当たり８個程度配置される）。この調整機構は露出すると、外観が損なわれるため、通常は戸当たりによって隠蔽されている。
【０００４】
従来、戸当たりとして種々のものが提案されている。その代表的なもの１つは、例えば図４に示すドア枠１１０へネジＮによって固定される、ネジ止めタイプの戸当り１５０であって、木製のものについての提案が、特開昭５８−１９９９８３号、特開平３−９４８４号、実開平７−１９５６８号等にそれぞれ記載されている。
【０００５】
この種のものは、着脱が容易であり、固定強度が大であり、ドア枠１１０と同一の材料を使用可能であるため、高級感の付与が可能であるが、ネジ頭Ｎ１が化粧面から露出し、外観を損なうという問題がある。また、着脱の繰り返しに伴い、ネジＮの締結力が低下するという問題もある。
【０００６】
例えば図５に示すように、ドア枠２１０に形成された溝２１１，２１１に、戸当り２５０の脚２５１，２５１が嵌合されることによって、戸当り２５０がドア枠２１０に固定される等の、プラスチック製の嵌合タイプについての提案が、特開平３−２５７８３号、特開平１０−１０２８９６号、特開平６−１８５２５４号、特開平８−１５８７３５号、特開平９−９６１６２号、特開平９−９６１６３号、特開平９−９６１６４号、特開平１０−６１３１１号、特開平１０−１０２８９６号、特開平１０−１１５１４９号、特開平１０−２３８２１４号、特開平１１−５０７４０号、特開２０００−２７５３９号、実開昭６１−２０６０７４号、実用新案登録３０２３５２５号等にそれぞれ記載されている。
【０００７】
この種のものは、着脱容易であり、調整機構を完全に隠蔽可能である等の長所はあるが、木質のドア枠２１０との微妙な質感の違いが生じ、ドア枠２１０への固定強度が低く、脱落や破損のおそれがある。なお、木製の嵌合タイプもあるが、別に嵌合部の接合が必要であり、戸当たりの大型化、外観の悪化、コスト上昇を伴うという問題点がある。
【０００８】
３番目に、材料の少なくとも一部にプラスチックが使用され、且つ、例えば図６に示すように、ドア枠３１０への固定用のネジＮが隠蔽される等の、ネジ止めタイプの戸当り３５０等についての提案が、特開平８−１０９７７５号、特開平９−１３７６６８号、実開昭５５−５３１７３号、特開平１０−３１１１７９号、特開平１０−３１１１８０にそれぞれ記載されており、上述の大半の問題点は解消されたが、木質のドア枠との質感の違いが依然として残っているという問題点がある。
【０００９】
【発明が解決しようとする課題】
そこで、本発明の目的は、上記従来の問題を解決した、固定強度が大であって、ドア枠との違和感がなく、しかも外観に優れた戸当りを提供することにある。
【００１０】
【課題を解決するための手段】
上記の目的を達するために、請求項１の発明の戸当りは、ドア枠（１０）上面に取付けられる本体取付基部（５１）と、該本体取付基部（５１）のドア（２０）側に形成された水平に延びる溝（５３）に嵌め込まれ、ドア（２０）閉時にそのドア（２０）に弾接してドア枠（１０）とドア（２０）との隙間を隠すパッキン（６０）と、を有する戸当りであって、前記本体取付基部（５１）に形成された溝（５３）は、本体取付基部（５１）の上部からドア（２０）側に突出した上片（５５）と、同じく本体取付基部（５１）の下部からドア（２０）側に上片（５５）よりも大きく突出し、かつドア枠（１０）上面に沿って接する下片（５２）との間に形成され、前記本体取付基部（５１）は、前記下片（５２）を貫通しドア枠（１０）に向かってネジ（Ｎ）がねじ込まれることによってドア枠（１０）に固定されるとともに、前記パッキン（６０）は、前記ネジ（Ｎ）の頭を隠蔽するように、前記溝（５３）に嵌め込まれてなることを特徴とする。
【００１１】
また請求項２の発明は、前記パッキン（６０）のドア側は、前記下片（５２）の先端を覆うように、ドア（２０）に向かって延びていることを特徴とする。
【００１２】
なお、括弧内の符号は、後述する発明の実施の形態および図面に記載された記号に対応するものである。
【００１３】
請求項１の発明によれば、次の作用効果がある。すなわち、
▲１▼ネジの完全隠蔽が可能である。
戸当たり固定用のネジがパッキンによって完全に隠蔽されるようになっているので、見栄えがよい。
【００１４】
▲２▼高級感がある。
戸当たりの本体取付基部は、ドア枠と同一材質でも構わないので、材質が統一でき、高級感がある。
【００１５】
▲３▼固定強度が大である。
戸当たり固定用のネジは、パッキンに隠蔽される部分であれば、どこでも何ケ所でも取付可能であるので、必要に応じて多数取付けられ固定強度を大きくすることができる。
【００１６】
▲４▼安価である。
構造も簡単であって、固定手段はネジのみで、特殊な嵌合手段も用いられておらず、安価である。
【００１７】
▲５▼着脱の繰り返しによっても固定強度が確保される。
ネジが同一箇所で繰り返し脱着が行われると、その固定強度が低下するが、上述のようにネジの位置・数の制限が殆んどないため、繰り返し脱着が行われることがあっても、緊結力は低下しない。
【００１８】
▲６▼ネジ止め時部分の損傷によっても外観が損なわれることはない。
たとえ手元が狂って、その部分に損傷を生じても、ネジ止め部分がパッキンによって隠蔽されるため、外観が損なわれることはない。
【００１９】
請求項２の発明によれば、請求項１の発明の作用効果に加えて、ドア閉時への戸当りへの衝撃が一層和らげられる。
【００２０】
【発明の実施の形態】
本発明の実施の形態例の戸当りとして、図を参照して説明すると、図１はドア枠に取り付けられた状態を示す断面図、図２はその斜視図、及び図３は戸当りの本体取付基部を示す斜視図である。
【００２１】
本発明の戸当り５０は、ドア枠１０上面に取付けられる本体取付基部５１と、ドア２０閉時にそのドア２０に弾接してドア枠１０とドア２０との隙間を隠すパッキン６０とから構成されている。パッキン６０は、ドア２０側に膨出した中空状のものであり、その脚６１が、本体取付基部５１のドア２０側に形成された水平に延びる溝５３に嵌め込まれている。
【００２２】
ドア枠１０の上面には、本体取付基部５０の下面に形成された凸条に嵌合する凹条が形成されている。
本体取付基部５１に形成された溝５３は、ドア２０の閉時にドア面に対して平行に延びるものであり、本体取付基部５１の上部からドア２０側に突出した上片５５と、同じく本体取付基部５１の下部からドア２０側に突出した下片５２との間に形成されている。下片５２は、上片５５よりも大きく突出し、本体取付基部５１の取付固定時には、ドア枠１０上面に沿って接するようになっている。
【００２３】
その戸当たり５０のドア枠１０への固定は、本体取付基部５１の凸条がドア枠２０の凹溝に嵌合され、下片５２がドア枠１０の上面に当接されたうえ、下片５２の表側から下片５２を貫通しドア枠１０に向かってネジＮがねじ込まれることによって行われる。
次いで、下片５２の上側にネジＮの頭静を隠蔽するように、ドア２０と弾接する中空状のパッキン６０の脚６１が、下片５２の付け根に形成された溝５３に、嵌着される。
【００２４】
なお、前記パッキン６０の、ドア２０と弾接するドア側の部分は、ドア２０の衝撃が弱められるよう、下片５２の先端を越えてドア２０に向かって延びると共に、下片５２の先端を覆うようにしてあるが、必ずしもこれに限定されるものではない。
【００２５】
作用について説明すると、次の通りである。
▲１▼ネジＮの完全隠蔽が可能である。
戸当たり５０の固定用のネジＮがパッキン６０によって完全に隠蔽されるため、それによって外観が損なわれることはない。
【００２６】
▲２▼高級感が出せる。
戸当たり５０の材料がドア枠１０のそれと統一化可能であり、違和感も生ぜず、高級感が出せる。
【００２７】
▲３▼固定強度が大である。
下片５２のいずれの部分の表面からも、位置・数の制限が殆んどなく、ドア枠１０へ向かってネジＮのねじこみが可能であり、固定強度が大である。
【００２８】
▲４▼安価である。
構造も簡単であって、固定手段はネジＮのみで、特殊な嵌合手段も用いられておらず、安価である。
【００２９】
▲５▼着脱の繰り返しによっても固定強度は低下せず、確保される。
ネジＮが同一箇所で繰り返し脱着が行われると、ネジ孔が拡大し、その固定強度が低下するが、上述のように下片５２へのネジＮの位置・数の制限が殆んどないため、繰り返し脱着が行われても、それの位置・数の変更によって固定強度を常に確保可能である。
【００３０】
▲６▼ネジ止め時部分の損傷によっても外観が損なわれることはない。
脱着時たとえ手元が狂って、その部分に損傷を生じても、ネジ止め部分がパッキン６０によって隠蔽されるため外観が損なわれることはない。
【００３１】
▲７▼ドア２０の閉時の戸当り５０への衝撃が小さい。
下片５２を覆うパッキン６０によってドア２０の閉時の戸当り５０への衝撃が一層和らげられる。
【００３２】
【発明の効果】
請求項１の発明によれば、次の作用効果がある。すなわち、
▲１▼ネジの完全隠蔽が可能である。
▲２▼高級感がある。
▲３▼固定強度が大である。
▲４▼安価である。
▲５▼着脱の繰り返しによっても固定強度が確保される。
▲６▼ネジ止め時部分の損傷によっても外観が損なわれることはない。
【００３３】
請求項２の発明によれば、請求項１の発明の効果に加えて、ドア閉時への戸当りへの衝撃が一層和らげられる。
【図面の簡単な説明】
【図１】本発明の実施の形態例の戸当りが、ドア枠に取付けられた状態を示す断面図である。
【図２】図１の斜視図である。
【図３】図１の本体取付基部を示す斜視図である。
【図４】従来例を示す断面図である。
【図５】２番目の従来例を示す断面図である。
【図６】３番目の従来例を示す断面図である。
【符号の説明】
１０  ドア枠
２０  ドア
５０  戸当り
５１  本体取付基部
５２  下片
５３  溝
５５  上片
６０  パッキン
６１  脚
１１０  ドア枠
１５０  戸当り
１６０  パッキン
２１０  ドア枠
２１１  溝
２５０  戸当り
２５１  脚
３１０  ドア枠
３５０  戸当り
Ｎ  ネジ
Ｎ１  ネジ頭
【図１】
0004495364.tif 000002
【図２】
0004495364.tif 000003
【図３】
0004495364.tif 000004
【図４】
0004495364.tif 000005
【図５】
0004495364.tif 000006
【図６】
0004495364.tif 000007